(57)【特許請求の範囲】
【請求項１】
ランプユニットと、
前記ランプユニットを着脱可能に装着するランプユニット装着部と、
前記ランプユニット装着部へ装着された前記ランプユニットによる累積点灯時間を記憶する記憶部と、
前記ランプユニットの点灯に応じて前記累積点灯時間を加算する加算部と、
前記ランプユニット装着部へ装着された前記ランプユニットを、前記ランプユニットに付与された識別子によって識別する識別部と、
前記ランプユニットへ前記識別子を付与する識別子付与部と、
を有し、
前記記憶部は、前記識別子に対応させて前記ランプユニットごとの前記累積点灯時間を記憶し、
前記加算部は、前記識別部において識別された前記識別子に対応する前記ランプユニットの前記累積点灯時間を加算し、
未使用のランプユニットが前記ランプユニット装着部へ装着された場合に、前記識別子付与部は、前記未使用のランプユニットに付与する前記識別子の選択を受け付け、
前記記憶部は、選択された前記識別子に対応させて記憶している前記累積点灯時間をリセットすることを特徴とするプロジェクター。
【請求項２】
ランプユニットと、
前記ランプユニットを着脱可能に装着するランプユニット装着部と、
前記ランプユニット装着部へ装着された前記ランプユニットによる累積点灯時間を記憶する記憶部と、
前記ランプユニットの点灯に応じて前記累積点灯時間を加算する加算部と、
前記ランプユニット装着部へ装着された前記ランプユニットを、前記ランプユニットに付与された識別子によって識別する識別部と、
を有し、
前記記憶部は、前記識別子に対応させて前記ランプユニットごとの前記累積点灯時間を記憶し、
前記加算部は、前記識別部において識別された前記識別子に対応する前記ランプユニットの前記累積点灯時間を加算し、
前記記憶部は、ランプ切れが生じたランプユニットの識別子を記憶し、
未使用のランプユニットが前記ランプユニット装着部へ装着された場合に、前記識別子付与部は、前記ランプ切れが生じたランプユニットの識別子を前記記憶部から読み出して前記未使用のランプユニットに付与することを特徴とするプロジェクター。
【請求項３】
前記ランプユニットにおいて、前記識別子は、複数のヒューズを溶断させたパターンとして表されることを特徴とする請求項１又は２に記載のプロジェクター。
【請求項４】
映像光を投写する映像投写部を有し、
前記映像投写部は、前記未使用のランプユニットが前記ランプユニット装着部へ装着された際に、前記記憶部に記憶されている前記累積点灯時間の一覧を、投写により表示することを特徴とする請求項１に記載のプロジェクター。
【請求項５】
前記ランプユニット装着部へ最後に装着されたランプユニットの識別子とは異なる識別子を前記識別部が識別した場合に、前記加算部は、前記識別部が識別した識別子のランプユニットへ、前記累積点灯時間の加算の対象を切り換えることを特徴とする請求項１から４のいずれか一項に記載のプロジェクター。
【請求項６】
映像光を投写する映像投写部を有し、
前記映像投写部は、前記ランプユニット装着部へ最後に装着されたランプユニットの識別子とは異なる識別子を前記識別部が識別した場合に、前記ランプユニット装着部へ装着されたランプユニットが切り換えられた旨を、投写により表示することを特徴とする請求項５に記載のプロジェクター。
【発明の詳細な説明】
【技術分野】
【０００１】
本発明は、プロジェクター、及びプロジェクターの制御方法、特に、光源としてランプを使用するプロジェクターに関する。
【背景技術】
【０００２】
従来、プロジェクターの光源として使用されるランプは、比較的安定した光を発することが可能な累積点灯時間が経過すると寿命が尽きてしまい、光量の減衰や、波長により強度が変化して色バランスが悪化する等の弊害が発生する。このため、ランプは、寿命が尽きる前の時点で交換する必要がある。
【０００３】
寿命に至ったランプがそのまま使用されることの無いようにするために、例えば特許文献１には、ランプが一回でも使用されると導通部分を非可逆的に非導通状態とし、導通状態にあるか否かでランプユニットが使用済みか否かを確認する技術が提案されている。特許文献２には、点灯時間を記憶するメモリーを備えるランプユニットが提案されている。
【先行技術文献】
【特許文献】
【０００４】
【特許文献１】特開平１０−１７７８９８号公報
【特許文献２】特開２０００−２６７０６１号公報
【発明の概要】
【発明が解決しようとする課題】
【０００５】
ランプの一回の使用によって非導通状態とする技術では、ランプが未使用か使用されたかを判別可能である一方、使用されたランプについてはどの程度の期間の使用を経たかを確認する手段が無いため、寿命に至っているか否かを識別できない点が問題となる。複数のランプユニットを使い分けてプロジェクターを使用する場合は、それぞれのランプの累積点灯時間が不明であると、ランプユニットの効果的な使い分けが困難となる。また、ランプユニットにメモリーを搭載する技術では、ランプユニットが高コストになるという問題が生じる。本発明は、上述の問題に鑑みてなされたものであり、ランプの累積点灯時間の容易な把握を可能とするプロジェクター、及びプロジェクターの制御方法を提供することを目的とする。
【課題を解決するための手段】
【０００６】
上述した課題を解決し、目的を達成するために、本発明に係るプロジェクターは、ランプユニットと、前記ランプユニットを着脱可能に装着するランプユニット装着部と、前記ランプユニット装着部へ装着された前記ランプユニットによる累積点灯時間を記憶する記憶部と、前記ランプユニットの点灯に応じて前記累積点灯時間を加算する加算部と、前記ランプユニット装着部へ装着された前記ランプユニットを、前記ランプユニットに付与された識別子によって識別する識別部と、を有し、前記記憶部は、前記識別子に対応させて前記ランプユニットごとの前記累積点灯時間を記憶し、前記加算部は、前記識別部において識別された前記識別子に対応する前記ランプユニットの前記累積点灯時間を加算することを特徴とする。
【０００７】
識別部において複数のランプユニットを識別し、複数のランプユニットの累積点灯時間を識別子に対応させて記憶部に記憶することで、それぞれのランプユニットの累積点灯時間を容易に把握することができる。これにより、ランプの累積点灯時間の容易な把握を可能とするプロジェクターを得られる。
【０００８】
また、本発明の好ましい態様としては、前記ランプユニットにおいて、前記識別子は、複数のヒューズを溶断させたパターンとして表されることが望ましい。ヒューズを使用することで、識別子を比較的低コストで実現することができる。また、適宜選択されたパターンでヒューズを溶断させることで、容易に識別子を付与することができる。
【０００９】
また、本発明の好ましい態様としては、前記ランプユニットへ前記識別子を付与する識別子付与部を有し、未使用のランプユニットが前記ランプユニット装着部へ装着された場合に、前記識別子付与部は、前記未使用のランプユニットに付与する前記識別子の選択を受け付け、前記記憶部は、選択された前記識別子に対応させて記憶している前記累積点灯時間をリセットすることが望ましい。これにより、未使用のランプユニットについて、累積点灯時間のカウントを開始することができる。
【００１０】
また、本発明の好ましい態様としては、映像光を投写する映像投写部を有し、前記映像投写部は、前記未使用のランプユニットが前記ランプユニット装着部へ装着された際に、前記記憶部に記憶されている前記累積点灯時間の一覧を、投写により表示することが望ましい。ユーザーは、映像投写部によって表示された累積点灯時間の一覧を参照して、未使用のランプユニットに付与する識別子を選択することができる。
【００１１】
また、本発明の好ましい態様としては、前記記憶部は、ランプ切れが生じたランプユニットの識別子を記憶し、未使用のランプユニットが前記ランプユニット装着部へ装着された場合に、前記識別子付与部は、前記ランプ切れが生じたランプユニットの識別子を前記記憶部から読み出して前記未使用のランプユニットに付与することが望ましい。これにより、ランプ切れが生じたランプユニットから未使用のランプユニットへ、累積点灯時間のカウントを容易に切り換えることができる。
【００１２】
また、本発明の好ましい態様としては、前記ランプユニット装着部へ最後に装着されたランプユニットの識別子とは異なる識別子を前記識別部が識別した場合に、前記加算部は、前記識別部が識別した識別子のランプユニットへ、前記累積点灯時間の加算の対象を切り換えることが望ましい。これにより、ランプユニット装着部へ装着されたランプユニットが交換された場合に、累積点灯時間のカウントを容易かつ確実に切り換えることができる。
【００１３】
また、本発明の好ましい態様としては、映像光を投写する映像投写部を有し、前記映像投写部は、前記ランプユニット装着部へ最後に装着されたランプユニットの識別子とは異なる識別子を前記識別部が識別した場合に、前記ランプユニット装着部へ装着されたランプユニットが切り換えられた旨を、投写により表示することが望ましい。これにより、ユーザーは、ランプユニット装着部へ装着されたランプユニットが交換されたことを容易に認識することができる。
【００１４】
さらに、本発明に係るプロジェクターの制御方法は、ランプユニットが装着されるランプユニット装着工程と、前記ランプユニット装着工程において装着された前記ランプユニットによる累積点灯時間を記憶する記憶工程と、前記ランプユニットの点灯に応じて前記累積点灯時間を加算する加算工程と、前記ランプユニット装着工程において装着された前記ランプユニットを、前記ランプユニットに付与された識別子によって識別する識別工程と、を含み、前記記憶工程では、前記識別子に対応させて前記ランプユニットごとの前記累積点灯時間を記憶し、前記加算工程では、前記識別工程において識別された前記識別子に対応する前記ランプユニットの前記累積点灯時間を加算することを特徴とする。複数のランプユニットを識別し、複数のランプユニットの累積点灯時間を識別子に対応させて記憶することで、それぞれのランプユニットの累積点灯時間を容易に把握することができる。これにより、ランプの累積点灯時間の容易な把握を可能とする。
【図面の簡単な説明】
【００１５】
【図１】本発明の実施例に係るプロジェクターのブロック構成を示す図。
【図２】ランプユニットの概略構成を示す模式図。
【図３】各ヒューズの溶断パターンとＩＤとの関係の設定例を示す図表。
【図４】累積点灯時間のカウントを開始するまでの手順を説明するフローチャート。
【図５】未使用のランプユニットが装着された場合に表示される画像の例を示す図。
【図６】ＩＤの選択を入力した場合に表示される画像の例を示す図。
【図７】前回とは異なる使用済みのランプユニットへ交換された場合に表示される画像の例を示す図。
【発明を実施するための形態】
【００１６】
以下に図面を参照して、本発明の実施例を詳細に説明する。
【実施例】
【００１７】
図１は、本発明の実施例に係るプロジェクター１のブロック構成を示す図である。電源部６は、商用電源コンセント等に接続され、プロジェクター１に電源を供給する。複数設けられた入力端子７には、例えば、各種ディスクプレーヤーやパーソナルコンピューターなどの外部接続機器が接続される。プロジェクター１は、入力端子７を介して、外部接続機器から映像情報を取得する。
【００１８】
リモコン受光部９は、プロジェクター１を操作するためにリモコン１７が操作された際に、リモコン１７から発信された信号を受信して、キー入力処理部１０に送信する。キー入力処理部１０は、本体に設けられた操作部（不図示）やリモコン１７によるキー入力を受け付け、入力情報を制御部１２へ送信する。制御部１２は、プロジェクター１の全般、例えば、電源部６、記憶部１１、ランプユニット３、入力選択部８及び映像処理部１３等を制御する。
【００１９】
入力選択部８は、制御部１２からの指令に応じて、入力端子７から取得した情報から映像処理部１３に送る情報を選択する。映像処理部１３は、入力選択部８において選択された映像情報について、プロジェクター１による表示のための処理を実施する。映像出力部１４は、映像処理部１３での処理を経た映像情報を出力する。映像投写部１５は、映像出力部１４からの映像情報に応じてランプユニット３からの光を変調し、映像光として被照射面へ投写する。
【００２０】
ランプユニット３は、ランプ、例えば、メタルハライドランプ、キセノンランプ、高圧水銀ランプ等を備える。ランプユニット３は、映像投写部１５へ光を供給する。ランプユニット装着部４は、ランプユニット３を着脱可能に装着する。ランプユニット検出部５は、ランプユニット装着部４へ装着されたランプユニット３を検出する。ランプユニット検出部５は、ランプユニット装着部４へ装着されたランプユニット３を識別する識別部として機能する。
【００２１】
記憶部１１は、ランプユニット３ごとの累積点灯時間を記憶する。制御部１２に設けられた加算部１６は、ランプユニット３の点灯に応じて累積点灯時間を加算していく。加算部１６は、記憶部１１から読み出した累積点灯時間を加算することにより、累積点灯時間をカウントする。
【００２２】
図２は、ランプユニット３の概略構成を示す模式図である。ランプユニット３は、ランプ２１及び識別子２２を有する。識別子２２は、三つのヒューズＦ１、Ｆ２、Ｆ３からなる。ランプユニット３において、識別子２２は、三つのヒューズＦ１、Ｆ２、Ｆ３を溶断させたパターンとして表されている。
【００２３】
図３は、各ヒューズＦ１、Ｆ２、Ｆ３の溶断パターンと、ランプユニット３に割り当てるＩＤとの関係の設定例を示す図表である。各ヒューズＦ１、Ｆ２、Ｆ３について、「ＯＮ」は溶断前の導通状態、「ＯＦＦ」は溶断後の非導通状態を表すものとする。三つのヒューズＦ１、Ｆ２、Ｆ３が「ＯＮ」であるとき、即ちいずれのヒューズＦ１、Ｆ２、Ｆ３も溶断されていない場合、ランプユニット３は未使用であることを表すものとする。
【００２４】
三つのヒューズＦ１、Ｆ２、Ｆ３がいずれも「ＯＮ」であるときを除くと、三つのヒューズＦ１、Ｆ２、Ｆ３の「ＯＮ」、「ＯＦＦ」のパターンは７通りとなる。制御部１２は、かかる７通りのパターンを使用して、ランプユニット３にＩＤ１から７を割り当てる。ランプユニット３における識別子２２は、図３の関係に基づいて、ＩＤの数値をヒューズＦ１、Ｆ２、Ｆ３の「ＯＮ」、「ＯＦＦ」のパターンに置き換えたものに相当する。制御部１２は、ランプユニット３へ識別子２２を付与する識別子付与部として機能する。
【００２５】
ランプユニット検出部５は、三つのヒューズＦ１、Ｆ２、Ｆ３がいずれも「ＯＮ」であることを検出することで、ランプユニット装着部４に装着されたランプユニット３が未使用のものであることを識別する。また、ランプユニット検出部５は、三つのヒューズＦ１、Ｆ２、Ｆ３のパターンから、未使用である以外のランプユニット３を最大７個まで識別する。記憶部１１は、ＩＤに対応させてランプユニット３ごとの累積点灯時間を記憶する。
【００２６】
図４は、ランプユニット３の累積点灯時間のカウントを開始するまでの手順を説明するフローチャートである。プロジェクター１の起動により電源部６からの電源供給が開始されると、ランプユニット検出部５は、ランプユニット装着部４に装着されているランプユニット３のヒューズのパターンを識別し（ステップＳ１）、識別結果を制御部１２へ送信する。
【００２７】
制御部１２は、ステップＳ１において識別されたＩＤと、今回の起動前最後に装着されていたランプユニット３のＩＤとを比較する。記憶部１１は、最後に装着されていたランプユニット３のＩＤを記憶している。今回装着されたランプユニット３が、最後に装着されたランプユニット３とはＩＤ（識別子）が同じものである場合（ステップＳ２、Ｎｏ）、加算部１６は、そのＩＤに対応させて記憶されている累積点灯時間を記憶部１１から読み出し、カウントを開始する（ステップＳ９）。
【００２８】
今回装着されたランプユニット３が、最後に装着されたランプユニット３とはＩＤ（識別子）が異なるものである場合（ステップＳ２、Ｙｅｓ）、制御部１２は、ランプユニット装着部４に装着されているランプユニット３が未使用のものであるか否かを判断する。装着されているランプユニット３が未使用のものである場合（ステップＳ３、Ｙｅｓ）、制御部１２は、記憶部１１に記憶されている累積点灯時間の一覧の表示を映像処理部１３へ指示する。映像投写部１５は、映像処理部１３を経て映像出力部１４から出力された累積点灯時間の一覧を、投写により被照射面に表示する（ステップＳ４）。
【００２９】
図５は、未使用のランプユニット３が装着された場合に映像投写部１５によって表示される画像の例を示す図である。画像３１には、ランプのＩＤと累積点灯時間とが列挙されるとともに、装着されているランプユニット３が未使用のものであることを示す文言（例えば、図中の「新品のランプを検出しました。」）が表示される。また、同じ画像３１には、装着されているランプユニット３に付与するＩＤの選択をユーザーに指示する文言（例えば、図中の「使用するランプＩＤを選択してください。」）と、ＩＤの選択のためのカーソル（例えば、図中の矢印）が表示される。
【００３０】
ユーザーは、画像３１を参照し、カーソルを移動して確定することにより、装着されているランプユニット３に付与するＩＤを選択する。制御部１２は、ユーザーによるＩＤの選択を受け付ける。なお、画像３１中の文言、累積点灯時間の一覧などの表示は図示するものに限られず、適宜変更しても良い。また、ＩＤの選択はカーソルにより指定し入力する場合に限られず、いずれの手法を採用しても良い。
【００３１】
図６は、ＩＤの選択を入力した場合に映像投写部１５によって表示される画像の例を示す図である。ここでは、例えば、ＩＤ１が選択された場合を例として説明する。画像３２には、ＩＤ１の選択を受け付けた旨の文言（例えば、図中の「ランプＩＤ１を選択しました。」）が表示される。また、同じ画像３２には、ＩＤ１のランプユニット３の累積点灯時間がリセットされる旨の注意と、リセットの了承（ＯＫ）及びキャンセルの選択を受け付ける文言が表示される。
【００３２】
ユーザーがリセットを了承することで、記憶部１１は、選択されたＩＤ（この例ではＩＤ１）のランプユニット３の累積点灯時間をリセットする（ステップＳ５）。また、制御部１２は、ランプユニット装着部４に設けられた熱発生部（不図示）を駆動して、選択されたＩＤに対応するパターンでランプユニット３のヒューズを溶断する（ステップＳ６）。図３の関係に従うと、この例では、ＩＤ１に対応して、ヒューズＦ１を溶断し、他のヒューズＦ２、Ｆ３を導通状態のままとする。加算部１６は、リセットによりゼロとされた累積点灯時間のカウントを開始する（ステップＳ９）。なお、ステップＳ５及びステップＳ６の順序は任意であって、同時であっても良い。
【００３３】
装着されているランプユニット３が未使用のものではない場合（ステップＳ３、Ｎｏ）、制御部１２は、前回装着されたものとは異なる使用済みのランプユニット３への交換がなされた旨の表示を映像処理部１３へ指示する。映像投写部１５は、ランプユニット装着部４へ装着されたランプユニット３が切り換えられた旨を、投写により表示する（ステップＳ７）。
【００３４】
図７は、前回装着されたものとは異なる使用済みのランプユニット３へ交換された場合に映像投写部１５によって表示される画像の例を示す図である。ここでは、例えば、累積点灯時間が１００時間であるＩＤ１のランプユニット３が装着された場合を例として説明する。画像３３には、ランプユニット３が交換された旨の文言（例えば、図中の「ランプが交換されました。」）と、交換後のランプユニット３のＩＤ、そのランプユニット３の累積点灯時間（例えば、図中の「点灯時間  １００ｈ」）が表示される。
【００３５】
加算部１６は、累積点灯時間をカウントするＩＤを、この例ではＩＤ１へ切り換える（ステップＳ８）。加算部１６は、ランプユニット検出部５が識別した識別子２２のランプユニット３へ加算の対象を切り換えて、累積点灯時間のカウントを開始する（ステップＳ９）。これにより、プロジェクター１は、ランプユニット装着部４へ装着されたランプユニット３が交換された場合に、累積点灯時間のカウントを容易かつ確実に切り換えることができる。加算部１６は、累積点灯時間のカウントを開始すると、ランプユニット３の点灯が終了するまで累積点灯時間の加算を継続する。
【００３６】
このように、プロジェクター１は、ランプユニット検出部５において複数のランプユニット３を識別し、複数のランプユニット３の累積点灯時間を識別子２２に対応させて記憶部１１に記憶する。これにより、プロジェクター１のユーザーは、プロジェクター１に使用しているそれぞれのランプユニット３の累積点灯時間を容易に把握することが可能となる。
【００３７】
例えば、一台のプロジェクター１について、日常の視聴にて使用するランプユニット３と、プレゼンテーション等の特別な場面にて使用するランプユニット３とを使い分ける場合がある。この場合に、それぞれのランプユニット３の累積点灯時間を把握することで、例えば長時間の投写が必要なプレゼンテーション等の際に誤って寿命が短いランプユニット３を取り付けることによる投写中のランプ切れを容易に回避することができる。
【００３８】
プロジェクター１は、未使用のランプユニット３に割り当てるＩＤの選択をユーザーに委ねる場合の他、ランプ切れが生じたランプユニット３のＩＤを自動的に割り当てることとしても良い。この場合、記憶部１１は、ランプ切れが生じたランプユニット３のＩＤを記憶する。制御部１２は、未使用のランプユニット３がランプユニット装着部４へ装着された場合に、ランプ切れが生じたランプユニット３のＩＤを記憶部１１から読み出して未使用のランプユニット３に付与する。これにより、プロジェクター１は、ランプ切れが生じたランプユニット３から未使用のランプユニット３へ、累積点灯時間のカウントを容易に切り換えることができる。
【００３９】
ランプユニット３において、識別子２２は、三つのヒューズＦ１、Ｆ２、Ｆ３を溶断するパターンによって表す場合に限られない。例えば、識別子２２は、さらに多くのヒューズのパターンで表されるものとしても良い。識別子２２によって識別可能なランプユニット３の数は本実施例で説明する例に限られず、少なくとも複数であれば良い。また、ランプユニット３は、ヒューズに代えて、他の要素を用いて識別子２２を表すこととしても良い。ランプユニット３における識別子２２は、プロジェクター１での使用開始の際の何らかの作用によって、識別のための情報を付与可能であれば、いずれの要素によるものとしても良い。
【００４０】
識別子２２による識別は、一台のプロジェクター１に使用する複数のランプユニット３に適用する場合に限られず、複数台のプロジェクター１で共用する複数のランプユニット３に適用しても良い。ランプユニット３の累積点灯時間の管理は、一台のプロジェクター１で実施しても良く、複数台のプロジェクター１で共通して実施することとしても良い。
【符号の説明】
【００４１】
１  プロジェクター、３  ランプユニット、４  ランプユニット装着部、５  ランプユニット検出部、６  電源部、７  入力端子、８  入力選択部、９  リモコン受光部、１０  キー入力処理部、１１  記憶部、１２  制御部、１３  映像処理部、１４  映像出力部、１５  映像投写部、１６  加算部、１７  リモコン、２１  ランプ、２２  識別子、３１、３２、３３  画像、Ｆ１、Ｆ２、Ｆ３  ヒューズ
【図１】
0005605079.tif 000002
【図２】
0005605079.tif 000003
【図３】
0005605079.tif 000004
【図４】
0005605079.tif 000005
【図５】
0005605079.tif 000006
【図６】
0005605079.tif 000007
【図７】
0005605079.tif 000008